(57)【特許請求の範囲】
【請求項１】
音声を出力するドライバユニットを有するとともに、耳介内に装着される本体部と、
前記本体部の内部機構と接続するコードと、
前記本体部から下方及び後方へ延出する延出部を有するブッシングと、
を備え、
前記延出部と前記本体部との間に隙間又は薄肉部が形成され、
前記本体部の前記延出部と対面する部分に、前記本体部内と外部とを連通する音孔が形成され、
前記音孔は、前記延出部が前記本体部側へ変形して前記本体部に接触しても前記延出部に塞がれないように、前記延出部の根元部分の近傍に形成されていることを特徴とするヘッドホン。
【請求項２】
前記延出部は、前記本体部内と外部とを連通するとともに前記コードを内蔵し、珠間切痕に装着可能な形状を有する、
ことを特徴とする請求項１に記載のヘッドホン。
【請求項３】
前記ブッシングは、前記延出部の下部と前記珠間切痕とが接触するよう構成されていることを特徴とする請求項２に記載のヘッドホン。
【請求項４】
前記延出部は、前記隙間又は薄肉部の幅が後方に向かって徐々に大きくなるように、下方及び後方へ延出していることを特徴とする請求項１または３のいずれかに記載のヘッドホン。
【請求項５】
前記コードは、前記延出部の下部から下方へ延出する、
ことを特徴とする請求項１〜４のいずれか１項に記載のヘッドホン。
【請求項６】
前記本体部の外面の前記延出部が接触する部分には、所定の高さを有する構造体が形成されていることを特徴とする請求項１〜５のいずれか１項に記載のヘッドホン。
【請求項７】
前記本体部は、カナル型である、
ことを特徴とする請求項１〜６のいずれか１項に記載のヘッドホン。
【請求項８】
前記ブッシングは、エラストマからなることを特徴とする請求項１〜７のいずれか１項に記載のヘッドホン。
【発明の詳細な説明】
【技術分野】
【０００１】
本発明は、耳介内に装着するヘッドホンの構造に関する。
【背景技術】
【０００２】
特許文献１は、音声を出力する本体部を耳介内に装着するタイプのヘッドホン（イヤホン）において、良好な装着感の実現及び脱落防止を目的として、スピーカ（ドライバ）ユニットを内蔵するハウジングに耳介側からの脱落を阻止する耳介支持部材を備え、耳介支持部材にハウジング側への取付けが自在な取付け部と、取付け部から突設され耳介内に弾接する弾性支持片部とを備える構成を開示している。
【０００３】
特許文献２は、インナーイヤー型ヘッドホンにおいて、装着性及び操作性の向上を目的として、装着時に、ドライバユニットを収納するハウジングの一部を延出して形成した垂下部が、使用者の珠間切痕付近を当接する状態で覆う構成を開示している。
【先行技術文献】
【特許文献】
【０００４】
【特許文献１】特開２００６−２０３４２０号公報
【特許文献２】特開平４−２３３３９８号公報
【発明の概要】
【発明が解決しようとする課題】
【０００５】
音声を出力する本体部を耳介内に装着するタイプ（いわゆるインナーイヤー型等）のヘッドホンにおいては、耳の形状の個人差が装着性（装着感、装着安定性等）に大きな影響を与えるため、良好な装着性を得ることが難しいという問題がある。例えば、ある使用者にとっては十分な装着安定性が得られるが、他の使用者にとっては脱落しやすい等の問題が生じやすい。インナーイヤー型のヘッドホンでも、特に、イヤーピースを用いて耳に固定するカナル型（耳栓型）と言われるタイプでは耳への装着性と密閉感によって音質の善し悪しが変わってきてしまうために快適な装着性は音質へも影響がある。
【０００６】
そこで、本発明は、ヘッドホンの装着性を向上させることを目的とする。
【課題を解決するための手段】
【０００７】
本発明の一態様は、音声を出力するドライバユニットを有するとともに、耳介（５）内に装着される本体部（２）と、本体部（２）の内部機構と接続するコード（３）と、本体部（２）内と外部とを連通するとともにコード（３）を内蔵し、本体部（２）から下方及び後方へ延出する延出部（１０）を有するブッシング（４）とを備えることを特徴とするヘッドホン（１）である。
【０００８】
また、延出部（１０）は、珠間切痕（７）に装着可能な形状を有することが好ましい。
【０００９】
また、延出部（１０）と本体部（２）との間に隙間（１６）又は薄肉部（１８）が形成されていることが好ましい。
【００１０】
また、延出部（１０）は、隙間（１６）又は薄肉部（１８）が後方に向かって徐々に大きくなるように、下方及び後方へ延出していることが好ましい。
【００１１】
また、コード（３）は、延出部（１０）の下部（１７）から下方へ延出することが好ましい。
【００１２】
また、ブッシング（４）は、延出部（１０）の下部と珠間切痕（７）とが接触するよう構成されていることが好ましい。
【００１３】
また、本体部（２）の延出部（１０）と対面する部分に、本体部（２）内と外部とを連通する音孔（５２）が形成されていることが好ましい。
【００１４】
また、音孔（５２）は、延出部（１０）が本体部（２）側へ変形して本体部（２）に接触しても延出部（１０）に塞がれないように、延出部（１０）の根元部分の近傍に形成されていることが好ましい。
【００１５】
また、本体部（２）の外面の延出部（１０）が接触する部分には、所定の高さを有する構造体（６２）が形成されていることが好ましい。
【００１６】
また、本体部（２）は、カナル型であることが好ましい。
【００１７】
また、ブッシング（４）は、エラストマからなることが好ましい。
【発明の効果】
【００１８】
本発明によれば、ヘッドホンの装着性を向上させることができる。
【図面の簡単な説明】
【００１９】
【図１】本発明の実施の形態１に係るヘッドホンの構成を示す側面図である。
【図２】本発明の実施の形態１に係るヘッドホンの構成を示す正面図である。
【図３】本発明の実施の形態１に係るヘッドホンの構成を示す背面図である。
【図４】本発明の実施の形態１に係るヘッドホンの構成を示す斜視図である。
【図５】本発明の実施の形態１に係るヘッドホンの装着状態を示す図である。
【図６】本発明の実施の形態１に係るヘッドホンの断面形状を示す図である。
【図７】本発明の実施の形態１に係るブッシング内のコードの状態を示す図である。
【図８】本発明の実施の形態１に係るヘッドホンにおいて隙間に代えて薄肉部を備えた構成を示す図である。
【図９】本発明の実施の形態２に係るヘッドホンの断面形状を示す図である。
【図１０】本発明の実施の形態２に係るヘッドホンの断面形状を示す図である。
【図１１】本発明の実施の形態３に係るヘッドホンの断面形状を示す図である。
【図１２】本発明の実施の形態３に係るヘッドホンの断面形状を示す図である。
【発明を実施するための形態】
【００２０】
実施の形態１
以下、図面を参照して本発明の実施の形態について説明する。図１〜図４は、本実施の形態に係るヘッドホン１の外観を示している。図１は、ヘッドホン１の側面図であり、図２は、ヘッドホン１の正面図であり、図３は、ヘッドホン１の背面図であり、図４は、ヘッドホン１の斜視図である。図５は、ヘッドホン１の装着状態を示している。
最初に、図１〜図４を用いて本実施の形態のヘッドホン１の概要について説明する。
【００２１】
ヘッドホン１は、本体部２、コード３、及びブッシング４を有する。
【００２２】
本体部２は、音声を出力し、使用者の耳介５内に装着される。本体部２は、筺体１１及びイヤーピース１２を有し、音声を出力するドライバユニット２５（後に詳述）等を内蔵する。筺体１１は、中空状の金属または硬化性樹脂等からなる。イヤーピース１２は、エラストマ、シリコン等の弾性体からなる。また、イヤーピース１２は、開口部１３を有し、使用者の外耳道６に挿入可能な形状を有する。具体的には、主にイヤーピース１２に覆われた部分が外耳道６に挿入されて使用者の耳に装着されることとなる。筺体１１とイヤーピース１２とは一般的に着脱可能である。
なお、本実施の形態においては、一例として、外耳道に筺体１１の一部が挿入されたときにドライバユニット２５が外耳道に包含される構成を採用している。
【００２３】
コード３は、音声信号を本体部２に伝送するものであり、伝送に用いる導電線をエラストマ、塩化ビニル、布などの絶縁体で被覆してなるものである。図６及び図７に示すように、コード３は、ブッシング４内を通り、筺体１１内に引き込まれている。なお、ブッシング４は、筐体１１内と外部とを連通する通孔３１を内部に有しており、コード３は、この通孔３１に挿入されることで、ブッシング４内に配設される。なお、ブッシング４を２つ以上に切断し（又は切断したような状態で複数形成し）、その個々のブッシング４でコード３を挟み込むように、個々のブッシング４同士を接着することで、コード３をブッシング４内に配設してもよい。なお、コード３が配設されている状態においては、筐体１１内と外部とは、必ずしも空間的に連通している必要はない。
【００２４】
次に、図５，図６及び図７を用いてブッシング４についてさらに説明する。図６は、ヘッドホン１の断面形状を示している。図７は、ブッシング４内におけるコード３の状態を示している。また、図６に示す通り、振動板の中心を通りかつ振動板と垂直な線Ｓｋと平行な方向を前後方向とし、特に、放音方向を前方向とする。また、ブッシング４を長手方向に均等に切断した場合の切断面（図６における切断面）と平行な方向で、かつ、前後方向と垂直な方向を上下方向とし、特に筐体１１側からブッシング４側へ向かう方向を下方向とする。また、線Ｓｋを基準として紙面に対して垂直な方向を左右方向とし、紙面手前へ向かう方向を右方向とする（図示せず）。
ブッシング４は、コード３と筺体１１とを接続する部分に設けられ、筺体１１内と外部とを連通させる。ブッシング４は、エラストマ、シリコン等の弾性体からなり、図５に示すように、使用者の珠間切痕７に納まるように触れながら装着可能な形状を有する。このように、ブッシング４が珠間切痕７に装着されることにより、装着感及び装着安定性を向上させることができる。なお、ここまでブッシング４内部の通孔３１にコード３を配設する構造について説明したが、通孔３１を設けず、コード３をブッシング４外部に配しても装着感及び装着安定性を向上させることが出来る
【００２５】
また、ブッシング４は、珠間切痕７へ接触したときに、珠間切痕７によって上方に押されるようにその大きさが設計されている。そして、ブッシング４の後端部１５及び延出部１０と、筺体１１との間には、隙間１６が形成されている。この隙間１６を設けたことによって、使用者の耳の形状に合わせてブッシング４が変位するため、多くの使用者において、コード３が延出する位置と、使用者の頬等との相対的な位置が常にほぼ一定となり、様々な使用者においてもコード３が人体に接触しやすく、タッチノイズ低減効果が高い。
また、ブッシング４を下方及び後方へ斜めに延出させる形状（延出部１０）にしているため、様々な使用者において、ブッシング４が珠間切痕７によって上方に押されやすいようになっている。また、隙間１６の幅が後方に向かって徐々に大きくなるようにしているため、後端部１５に近い部分ほど、弱い力でも変位しやすいようになっている。
以上のように、本実施の形態のブッシング４は、多くの使用者において、ブッシング４の下面が珠間切痕７と接触するように構成されており、装着感を大きく向上することができる。
【００２６】
なお、隙間１６を設ける代わりに、図８に示すように、ブッシング４よりも左右方向に薄肉の部材である薄肉部１８を、ブッシング４の延出部１０と筺体１１との間に設けても良い。この薄肉部１８はブッシング４又は筐体１１に連結させて構成することができる。また、弾性材料を用いることができ、その弾性係数は、珠間切痕７によってブッシング４が上方に押されたときに、ブッシング４が上方に移動可能な弾性係数であればよい。また、薄肉部１８はブッシング４と一体であっても別体であってもよい。また、ブッシング４と同じ材料を用いてもよい。
【００２７】
次に、図５，図６及び図７を用いてコード３の延出状態について説明する。前述のように、ブッシング４は、筺体１１の下部から下方及び後方へ延出する形状（延出部１０）を有しており、ブッシング４の後端部１５及び延出部１０と、筺体１１との間には、隙間１６が形成されている。そして、コード３は、ブッシング４の後端部１５近傍の下部に形成された孔１７から下方に延出している。このように、後端部１５近傍におけるブッシング４の下部（下面）に形成された孔１７からコード３が延出することにより、タッチノイズ低減効果が更に向上する。コード３が使用者の頬等に接触しやすくなり、振動がより吸収・分散されやすくなるからである。
【００２８】
以上のように、ブッシング４に延出部１０を設け、この延出部１０と、筺体１１との間に隙間１６又は薄肉部１８が形成されていることにより、装着時に隙間１６等がクッション性を発揮し、装着感を大きく向上することができる。
また、ブッシング４の後端部１５と筺体１１との間に隙間１６等が形成されていることにより、後端部１５の変動の自由度が増加するため、上記引張荷重がより吸収・分散されやすくなる。これにより、コードの保護作用が更に向上する。
また、後述するように、この延出部１０の形状に沿ってコード３を蛇行させて配設することにより、ブッシング４とコード３との接触面積をより広くすることができ、さらにタッチノイズを軽減することができる。
【００２９】
次に、図６及び図７を用いて、ヘッドホン１の内部構造について詳細に説明する。なお、図６において、コード３については、ブッシング４内を透視したような状態におけるコード３の様子を示している。
【００３０】
筺体１１は、イヤーピース１２側の端部に形成された第１の開口部２１及び下部に形成された第２の開口部２２を有する。第１の開口部２１付近には、振動板、ボイスコイル、マグネット等からなるドライバユニット２５が配置されている。第２の開口部２２には、ブッシング４の上端部が固定されている。コード３は、当該ブッシング４に形成された通孔３１を通り、筺体１１内に引き込まれている。コード３の先端部から露出した導電線３２は、ドライバユニット２５のボイスコイル等に接続され、ドライバユニット２５は、コード３を介して入力される音声信号に基づく音声を放音（出力）する。
【００３１】
次に、図６及び図７を用いて、ブッシング４内部におけるコード３の配設状態について詳細に説明する。コード３は、ブッシング４内において、ブッシング４の形状に沿って蛇行している。当該蛇行形状には、略下方向から後方向へ湾曲する第１の蛇行部４１及び略後方向から下方向へ湾曲する第２の蛇行部４２が含まれている。このように本例においては、所定の基準線Ｓｋ(例えば振動板の中心を通り、かつ振動板と垂直な線)に対する、第１の蛇行部４１よりも筐体側におけるコード３の接線Ｓａの角度と、基準線Ｓｋに対する、第１の蛇行部４１と第２の蛇行部４２との間におけるコード３の接線Ｓｂの角度と、基準線Ｓｋに対する、第２の蛇行部４２よりも筐体から遠い側におけるコード３の接線Ｓｃの角度とが異なるように、コード３が蛇行している。
【００３２】
このように、コード３がブッシング４内で蛇行していることにより、コード３と本体部２との接続部分の保護作用を向上させることができる。コード３に引張荷重（コード３を筺体１１から引き抜く方向への荷重）等が掛かった場合に、当該荷重がブッシング４、蛇行部４１，４２、及び珠間切痕７を含む人体により吸収・分散されるからである。
【００３３】
また、一般的にコード３を伝わる振動は別の素材に触れれば触れるほど振動は吸収されてコード３を伝わるタッチノイズは低減されるため、コード３がブッシング４内を蛇行することにより、ブッシング４内におけるコード３とブッシング４との接触面積が広くなり、コード３を伝わる振動がブッシング４により吸収・分散されて、さらにタッチノイズを軽減することができる。
【００３４】
以上のように本実施の形態のヘッドホンによれば、コード３が歩行時などに物体に接触することにより生ずる振動が、ブッシング４及び珠間切痕７を含む人体により吸収・分散されるため、タッチノイズを軽減することができる。
【００３５】
また、本発明において、「蛇行」とは、種々の形状を含むものである。コード３に接する接線の角度がブッシング４内において少なくとも一度変化すれば、従来よりもタッチノイズを軽減することができる。ただし、コード３に接する接線の角度がブッシング４内において変化する回数が多いほどブッシング４とコード３との接触面積を広くすることができ、タッチノイズをより軽減することができる。また、図６の奥行き方向に蛇行するように構成してもよい。
【００３６】
実施の形態２
以下、本発明の他の実施の形態について図面を参照して説明する。上記実施の形態１と同一又は同様の箇所については、同一の符号を付してその説明を省略する。
【００３７】
図９及び図１０は、本発明の実施の形態２に係るヘッドホン５１の構成を示している。当該ヘッドホン５１と上記実施の形態１に係るヘッドホン１との相違は、筺体１１にこもり音防止のための音抜きとして効果を発揮する音孔５２が形成されている点にある。
【００３８】
音孔５２は、筺体１１の内部と外部とを連通させる。音孔５２は、筺体１１の下部、即ち筺体１１の延出部１１と対面する部分に形成されている。また、図９に示すように、音孔５２は、第２の開口部２２から距離Ｄだけ離れた位置に形成されている。また、筺体１１の下部と延出部１０の上部（筺体１１に対面する部分）との間には、角度θが形成されている。
【００３９】
図１０は、延出部１０に上方への力が加わった状態を示している。同図が示すように、延出部１０に上方への力が加わると、後端部１５の近傍部が上方に変位して筺体１１の下部に接触する。例えば、ヘッドホン５１の装着時又は装着中において、延出部１０の下部が使用者の珠間切痕７により押されることにより、このような状態となる。
【００４０】
この時、筺体１１と延出部１０との間には、依然、隙間１６が確保されている。延出部１０の根元部分、即ち第２の開口部２２から外部に露出した部分の上端部分は、後端部１５側の部分に比べ剛性が高いからである。従って、上記隙間１６は、延出部１０の根元部分に近い程確保されやすい。
【００４１】
ここで、音孔５２は、上述のような延出部１０の変形があっても、延出部１０によって塞がれない位置に形成されている。即ち、音孔５２は、隙間１６が常に確保される部分に形成されることが好ましい。隙間１６は、上述のように、延出部１０の根元部分に近い程確保されやすい。従って、上記距離Ｄは、構造的な制約が許す範囲内でできるだけ小さく設定されるべきである。
【００４２】
また、隙間１６は、上記角度θが大きい程確保されやすくなる。角度θは、２０°以上であることが好ましい。これにより、隙間１６の確保がより確実となる。
【００４３】
上述のように、本実施の形態によれば、装着時等に延出部１０が上方へ変形しても、音抜き用の音孔５２が塞がれることはなく、こもりを防止し、高い音質を維持することができる。
【００４４】
また、音孔５２は、上述のように、筺体１１の下部の延出部１０と対面する部分に形成されるため、外部から視認されにくい。そのため、音孔５２の存在によってヘッドホン５１のデザイン性が損なわれることはない。
【００４５】
尚、本実施の形態においては、筺体１１と延出部１０との間に隙間１６が形成される場合について説明したが、図８に示すように、筺体１１と延出１０との間に薄肉部１８が形成される場合であっても、本実施の形態と同様の構成を構築することができる。この場合、孔の出口が薄肉部によって２つに分けられても良いし、孔の直上部には薄肉部を設けなくても良い（図示せず）。
【００４６】
実施の形態３
図１１及び図１２は、本発明の実施の形態３に係るヘッドホン６１の構成を示している。当該ヘッドホン６１と上記実施の形態２に係るヘッドホン５１と相違は、筺体１１の外面に構造体６２が形成されている点にある。
【００４７】
本実施の形態に係る構造体６２は、主にデザイン性、持ちやすさ等を向上させるために形成されるオーナメントである。図１１に示すように、構造体６２の頂部と筺体１１の外面との間には、高さＨが確保されている。構造体６２は、筺体１１の下部にも形成されている。
【００４８】
図１２に示すように、延出部１０に上方への力が加わると、後端部１５の近傍部が構造体６２の頂部に接触する。この時、当該接触部は、筺体１１の外面より高さＨだけ離れた部分となる。これにより、構造体６２が存在しない場合に比べ、隙間１６を大きくすることができる。
【００４９】
上述のように、本実施の形態によれば、上記実施の形態２よりも確実に隙間１６を確保することができ、音孔５２の閉塞を防止することができる。
【００５０】
尚、本実施の形態においては、筺体１１と延出部１０との間に隙間１６が形成される場合について説明したが、図８に示すように、筺体１１と延出１０との間に薄肉部１８が形成される場合であっても、本実施の形態と同様の構成を構築することができる。この場合、孔の出口が薄肉部によって２つに分けられても良いし、孔の直上部には薄肉部を設けなくても良い（図示せず）。
【００５１】
尚、本発明は上記実施の形態に限られるものではなく、趣旨を逸脱しない範囲で適宜変更することが可能なものである。例えば、上記実施の形態においては、本体部２が外耳道６に挿入されるいわゆるカナル型の構成を示したが、本発明はこれに限定されるものではなく、例えば本体部を外耳道６の入口の外耳５部分に引っ掛けるような、カナル型以外のインナーイヤー型ヘッドホン等にも適用できるものである。
また、同じカナル型であってもドライバユニットが先端にあるものにかぎらず、耳介の外部にあるものであっても同様に適応できる。
【符号の説明】
【００５２】
１，５１，６１  ヘッドホン
２  本体部
３  コード
４  ブッシング
５  耳介
６  外耳道
７  珠間切痕
１０  延出部
１１  筺体
１２  イヤーピース
１３  開口部
１５  後端部
１６  隙間
１７  孔
１８  薄肉部
２１  第１の開口部
２２  第２の開口部
２５  ドライバユニット
３１  通孔
３２  導電線
５２  音孔
６２  構造体
【図１】
0005838905.tif 000002
【図２】
0005838905.tif 000003
【図３】
0005838905.tif 000004
【図４】
0005838905.tif 000005
【図５】
0005838905.tif 000006
【図６】
0005838905.tif 000007
【図７】
0005838905.tif 000008
【図８】
0005838905.tif 000009
【図９】
0005838905.tif 000010
【図１０】
0005838905.tif 000011
【図１１】
0005838905.tif 000012
【図１２】
0005838905.tif 000013